(57)【要約】      （修正有）【課題】複数のコンタクトピン及びフェルールを一体として装着する際に、コンタクトピンの短絡及び光ファイバの損傷を防止することが可能な複合コネクタ装置を提供する。【解決手段】複合ケーブルの外皮に収容された複数の電線の先端に半田付けされる複数のコンタクトピンと、前記外皮に前記複数の電線とともに収容された光ファイバの先端に接続されるフェルールと、が一体に装着される複合コネクタ装置であって、前記複数のコンタクトピンが挿入配置される複数の第１溝と、前記光ファイバが挿入配置される第２溝と、を有する第１インシュレータと、前記複数のコンタクトピンが挿入される複数の第１孔と、前記フェルールが挿入される第２孔と、を有し、前記第１インシュレータに装着される第２インシュレータと、前記フェルールに対して前記第１インシュレータから前記第２インシュレータへ向かう弾性力を付与する弾性部材と、を備える。【選択図】図４
2019149337.tif 000002
【特許請求の範囲】
【請求項１】
複数の電線の先端にそれぞれ半田付けされる複数のコンタクトピンと、光ファイバの先端に接続されるフェルールと、が一体に装着される複合コネクタ装置であって、
軸方向に沿って外周面から窪むとともに外周方向に並んで形成され、前記複数のコンタクトピンがそれぞれ挿入配置される複数の第１溝と、前記軸方向に沿って前記外周面から窪んで形成され、前記光ファイバが挿入配置される第２溝と、を有する第１インシュレータと、
前記複数のコンタクトピン及び前記フェルールが所定の配置関係を保持するように、前記複数のコンタクトピンがそれぞれ挿入される複数の第１孔と、前記フェルールが挿入される第２孔と、を有し、前記第１インシュレータに装着される第２インシュレータと、
前記第１インシュレータと前記第２インシュレータとの間に介在し、前記フェルールに対して前記第１インシュレータから前記第２インシュレータへ向かう弾性力を付与する弾性部材と、
を備えたことを特徴とする複合コネクタ装置。
【請求項２】
前記弾性部材は、前記光ファイバに隣り合うとともに前記第１インシュレータに支持される一対のコイルバネと、前記フェルールの前記光ファイバが接続される側と前記一対のコイルバネとの間に介在し、前記フェルールに対して前記弾性力を付与するスペーサーと、を含んで構成される
ことを特徴とする請求項１に記載の複合コネクタ装置。
【請求項３】
前記コンタクトピン及び前記第１溝は、前記コンタクトピンが前記第１溝に挿入配置された後、前記コンタクトピンが前記第１インシュレータの軸方向に移動することを規制する形状を呈する
ことを特徴とする請求項１に記載の複合コネクタ装置。
【請求項４】
前記第１インシュレータは、前記一対のコイルバネの一端をそれぞれ支持する一対の第１支持部を有し、
前記スペーサーは、前記一対のコイルバネの他端をそれぞれ支持する一対の第２支持部を有する
ことを特徴とする請求項２に記載の複合コネクタ装置。
【請求項５】
前記第１支持部は、前記一対のコイルバネの一端がそれぞれ嵌入される一対の第１嵌入孔であり、
前記第２支持部は、前記一対のコイルバネの他端がそれぞれ嵌入される一対の第２嵌入孔である
ことを特徴とする請求項４に記載の複合コネクタ装置。
【請求項６】
前記複数のコンタクトピンがそれぞれ挿入配置された後の前記複数の第１溝を覆うように前記第１インシュレータに装着される絶縁部材
を更に備えたことを特徴とする請求項１に記載の複合コネクタ装置。
【請求項７】
前記複数の第１溝は、前記複数のコンタクトピンが前記フェルールの周りを円形に取り囲むように、前記第１インシュレータに形成され、
前記複数の第１孔及び前記第２孔は、前記複数のコンタクトピンが前記フェルールの周りを円形に取り囲むように、前記第２インシュレータに形成される
ことを特徴とする請求項１に記載の複合コネクタ装置。
【請求項８】
前記第１インシュレータは、前記複数の第１溝として、６個のコンタクトピンがそれぞれ挿入配置される６個の第１溝を有し、
前記６個の第１溝は、前記６個のコンタクトピンで形成される円の径が６〜８ｍｍとなるように、前記第１インシュレータに形成され、
前記第２インシュレータは、前記複数の第１孔として、前記６個のコンタクトピンがそれぞれ挿入される６個の第１孔を有し、
前記６個の第１孔は、前記６個のコンタクトピンで形成される円の径が６〜８ｍｍとなるように、前記第２インシュレータに形成される
ことを特徴とする請求項７に記載の複合コネクタ装置。
【発明の詳細な説明】
【技術分野】
【０００１】
本発明は、複合コネクタ装置に関する。
【背景技術】
【０００２】
例えば、複合ケーブルの外皮に収容された複数のメタル心線（電線）の先端にそれぞれ半田付けされる複数のコンタクトピンと、外皮に複数のメタル心線とともに収容された光ファイバの先端に接続されるフェルールと、が一体に装着される複合コネクタ装置が知られている（例えば、特許文献１を参照）。
【先行技術文献】
【特許文献】
【０００３】
【特許文献１】特開２０１３−２５７４３２号公報
【発明の概要】
【発明が解決しようとする課題】
【０００４】
複合コネクタ装置を作製する場合、複合コネクタ装置を構成する一部の部品であるインシュレータに対して複数のコンタクトピン及びフェルールを装着した後、フェルールを光ファイバの先端に接続するとともに複数のコンタクトピンを複数のメタル心線の先端にそれぞれ半田付けするのが一般的である。
【０００５】
しかし、インシュレータは極小部品であるので、インシュレータに装着された状態におけるコンタクトピンとフェルールとの間の距離や隣り合う２個のコンタクトピンの間の距離は極めて短くなっている。そのため、コンタクトピンをメタル心線の先端に半田付けする際に、隣り合う２個のコンタクトピンを短絡させてしまう虞や、光ファイバに熱損傷を与えてしまう虞があった。
【０００６】
そこで、本発明は、複数のコンタクトピン及びフェルールを一体として装着する際に、コンタクトピンの短絡及び光ファイバの損傷を防止することが可能な複合コネクタ装置を提供することを目的とする。
【課題を解決するための手段】
【０００７】
前述した課題を解決する主たる本発明は、複合ケーブルの外皮に収容された複数の電線の先端にそれぞれ半田付けされる複数のコンタクトピンと、前記外皮に前記複数の電線とともに収容された光ファイバの先端に接続されるフェルールと、が一体に装着される複合コネクタ装置であって、軸方向に沿って外周面から窪むとともに外周方向に並んで形成され、前記複数のコンタクトピンがそれぞれ挿入配置される複数の第１溝と、前記軸方向に沿って前記外周面から窪んで形成され、前記光ファイバが挿入配置される第２溝と、を有する第１インシュレータと、前記複数のコンタクトピン及び前記フェルールが所定の配置関係を保持するように、前記複数のコンタクトピンがそれぞれ挿入される複数の第１孔と、前記フェルールが挿入される第２孔と、を有し、前記第１インシュレータに装着される第２インシュレータと、前記第１インシュレータと前記第２インシュレータとの間に介在し、前記フェルールに対して前記第１インシュレータから前記第２インシュレータへ向かう弾性力を付与する弾性部材と、を備える。
【０００８】
本発明の他の特徴については、添付図面及び本明細書の記載により明らかとなる。
【発明の効果】
【０００９】
本発明によれば、複数のコンタクトピン及びフェルールを一体に装着する際に、コンタクトピンの短絡及び光ファイバの損傷を防止し、作業性を向上させることが可能となる。
【図面の簡単な説明】
【００１０】
【図１】本実施形態に係るプラグ側の複合コネクタ装置を示す斜視図である。
【図２】本実施形態に係るプラグ側の複合コネクタ装置を示す分解斜視図である。
【図３】本実施形態に係るプラグ側の複合コネクタ装置の差込口を示す平面図である。
【図４】本実施形態に係るプラグ側の複合コネクタ装置に用いられる装着体を示す斜視図である。
【図５】本実施形態に係るプラグ側の複合コネクタ装置に用いられる装着体を示す分解斜視図である。
【図６】本実施形態に係るプラグ側の複合コネクタ装置において、装着体に用いられる第１インシュレータを示す斜視図である。
【図７】本実施形態に係るプラグ側の複合コネクタ装置において、装着体に用いられる第１インシュレータを示す平面図である。
【図８】本実施形態に係るプラグ側の複合コネクタ装置において、装着体に用いられる第２インシュレータを示す斜視図である。
【図９】本実施形態に係るプラグ側の複合コネクタ装置において、装着体に用いられる第２インシュレータを示す平面図である。
【図１０】本実施形態に係るプラグ側の複合コネクタ装置において、装着体に用いられるスペーサーを示す斜視図である。
【図１１】本実施形態に係るプラグ側の複合コネクタ装置において、装着体に用いられるスペーサーを示す平面図である。
【図１２】本実施形態に係るプラグ側の複合コネクタ装置において、装着体に用いられるスリーブを示す斜視図である。
【図１３】本実施形態に係るプラグ側の複合コネクタ装置において、装着体に用いられるスリーブを示す平面図である。
【図１４】本実施形態に係るプラグ側の複合コネクタ装置に用いられる複合ケーブルの一例を示す斜視図である。
【図１５】本実施形態に係るレセプタクル側の複合コネクタ装置を示す斜視図である。
【図１６】本実施形態に係るレセプタクル側の複合コネクタ装置を示す分解斜視図である。
【図１７】本実施形態に係るレセプタクル側の複合コネクタ装置の差込口を示す平面図である。
【図１８】本実施形態に係るレセプタクル側の複合コネクタ装置に用いられる装着体を示す斜視図である。
【図１９】本実施形態に係るレセプタクル側の複合コネクタ装置に用いられる装着体を示す分解斜視図である。
【図２０】本実施形態に係るレセプタクル側の複合コネクタ装置において、装着体に用いられる第１インシュレータを示す斜視図である。
【図２１】本実施形態に係るレセプタクル側の複合コネクタ装置において、装着体に用いられる第１インシュレータを示す平面図である。
【図２２】本実施形態に係るレセプタクル側の複合コネクタ装置において、装着体に用いられる第２インシュレータを示す斜視図である。
【図２３】本実施形態に係るレセプタクル側の複合コネクタ装置において、装着体に用いられる第２インシュレータを示す平面図である。
【図２４】本実施形態に係るレセプタクル側の複合コネクタ装置において、装着体に用いられるスペーサーを示す斜視図である。
【図２５】本実施形態に係るレセプタクル側の複合コネクタ装置において、装着体に用いられるスペーサーを示す平面図である。
【図２６】本実施形態に係るレセプタクル側の複合コネクタ装置において、装着体に用いられるスリーブを示す斜視図である。
【図２７】本実施形態に係るレセプタクル側の複合コネクタ装置において、装着体に用いられるスリーブを示す平面図である。
【図２８】本実施形態に係るプラグ側及びレセプタクル側の複合コネクタ装置を結合する前の状態を示す斜視図である。
【図２９】本実施形態に係るプラグ側及びレセプタクル側の複合コネクタ装置を結合した後の状態を示す斜視図である。
【図３０】本実施形態に係るレセプタクル側の複合コネクタ装置に用いられるメタル心線及び光ファイバの一例を示す斜視図である。
【発明を実施するための形態】
【００１１】
本明細書および添付図面の記載により、少なくとも以下の事項が明らかとなる。
【００１２】
本発明の技術的特徴は、プラグ側及びレセプタクル側の双方の複合コネクタ装置に採用することが可能である。以下、プラグ側及びレセプタクル側の複合コネクタ装置について順に説明する。
【００１３】
＝＝＝プラグ側の複合コネクタ装置＝＝＝
図１は、本実施形態に係るプラグ側の複合コネクタ装置を示す斜視図である。図２は、本実施形態に係るプラグ側の複合コネクタ装置を示す分解斜視図である。図３は、本実施形態に係るプラグ側の複合コネクタ装置の差込口を示す平面図である。図４は、本実施形態に係るプラグ側の複合コネクタ装置に用いられる装着体を示す斜視図である。図５は、本実施形態に係るプラグ側の複合コネクタ装置に用いられる装着体を示す分解斜視図である。図６は、本実施形態に係るプラグ側の複合コネクタ装置において、装着体に用いられる第１インシュレータを示す斜視図である。図７は、本実施形態に係るプラグ側の複合コネクタ装置において、装着体に用いられる第１インシュレータを示す平面図である。図８は、本実施形態に係るプラグ側の複合コネクタ装置において、装着体に用いられる第２インシュレータを示す斜視図である。図９は、本実施形態に係るプラグ側の複合コネクタ装置において、装着体に用いられる第２インシュレータを示す平面図である。図１０は、本実施形態に係るプラグ側の複合コネクタ装置において、装着体に用いられるスペーサーを示す斜視図である。図１１は、本実施形態に係るプラグ側の複合コネクタ装置において、装着体に用いられるスペーサーを示す平面図である。図１２は、本実施形態に係るプラグ側の複合コネクタ装置において、装着体に用いられるスリーブを示す斜視図である。図１３は、本実施形態に係るプラグ側の複合コネクタ装置において、装着体に用いられるスリーブを示す平面図である。図１４は、本実施形態に係るプラグ側の複合コネクタ装置に用いられる複合ケーブルの一例を示す斜視図である。
【００１４】
先ず、本実施形態でプラグ側の複合コネクタ装置１に用いられる複合ケーブル１００は、例えば、６本のメタル心線１０１Ａ〜１０１Ｆと、光ファイバ１０２と、メタル心線１０１Ａ〜１０１Ｆが光ファイバ１０２を取り囲むようにメタル心線１０１Ａ〜１０１Ｆ及び光ファイバ１０２が束ねて収容される絶縁性の外皮１０３と、を含んで構成されている。尚、本実施形態において、説明の便宜上、光ファイバ１０２は、複数の光ファイバ素線を平行に並べて紫外線硬化型樹脂等で被覆した１本の光ファイバテープ心線のことを指している。外皮１０３の先端部分は、メタル心線１０１Ａ〜１０１Ｆ及び光ファイバ１０２が露出するように予め剥離されている。後述するレセプタクル側の複合コネクタ装置２には、６個の雌型コンタクトピンが配置されている。６個の雄型コンタクトピン１０４Ａ〜１０４Ｆは、電気信号を伝送するためのピンであって、６個の雌型コンタクトピンにそれぞれ嵌入されて接触することによって、６個の雌型コンタクトピンとそれぞれ電気的に接続される。そして、雄型コンタクトピン１０４Ａ〜１０４Ｆは、プラグ側の複合コネクタ装置１に装着される前に、メタル心線１０１Ａ〜１０１Ｆの先端にそれぞれ半田付けされる。一方、後述するレセプタクル側の複合コネクタ装置２には、位置決め突片を有する雄型フェルールが配置されている。雌型フェルール１０５は、位置決め孔１０５１，１０５２を有し、光信号を伝送するためのハウジングである。雄型フェルールの位置決め突片が雌型フェルール１０５の位置決め孔１０５１，１０５２に嵌入されると、雄型フェルールの端面及び雌型フェルール１０５の端面が重なり合って雄型フェルールの信号孔及び雌型フェルール１０５の信号孔１０５３が一致し、光信号の伝送が可能となる。尚、雌型フェルール１０５は、プラグ側の複合コネクタ装置１に装着される前に、光ファイバ１０２の先端に接続される。このように、雄型コンタクトピン１０４Ａ〜１０４Ｆ及び雌型フェルール１０５は、複合コネクタ装置１に装着する前に、複合ケーブル１００に接続された状態になっている。
【００１５】
複合コネクタ装置１は、装着体１０、収容ケース２０，３０、結合リング４０を含んで構成されている。
【００１６】
装着体１０は、６本のメタル心線１０１Ａ〜１０１Ｆに予め半田付けされた６個の雄型コンタクトピン１０４Ａ〜１０４Ｆと、光ファイバ１０２に予め接続された雌型フェルール１０５と、が一体となって装着される円柱形状を呈する組立体である。尚、装着体１０の詳細については後述する。
【００１７】
収容ケース２０は、複合ケーブル１００が挿入される円筒形状を呈する金属ケースである。雄型コンタクトピン１０４Ａ〜１０４Ｆ及び雌型フェルール１０５は、雄型コンタクトピン１０４Ａ〜１０４Ｆ及び雌型フェルール１０５が露出するように複合ケーブル１００が収容ケース２０に挿入された後、装着体１０に装着される。装着体１０の複合ケーブル１００に向かう側の一部は収容ケース２０内に挿入され、このとき、装着体１０における複合ケーブル１００側の端面が収容ケース２０の内壁から突出する段差面（不図示）に当接することによって、装着体１０は収容ケース２０内の所定位置に位置決めされる。
【００１８】
収容ケース３０は、収容ケース２０から露出する装着体１０が挿入される円筒形状を呈する金属ケースである。収容ケース２０は収容ケース３０と結合するための雌螺子２１を有し、一方、収容ケース３０は収容ケース２０と結合するための雄螺子３１を有している。そして、収容ケース２０，３０は、雌螺子２１と雄螺子３１を螺合することによって一体に結合される。このとき、装着体１０における複合ケーブル１００とは反対側の端面が収容ケース３０の内壁から突出する段差面（不図示）に当接することによって、装着体１０は収容ケース３０内の所定位置に位置決めされる。これによって、装着体１０は、収容ケース２０，３０内に安定的に保持されることとなる。
【００１９】
結合リング４０は、プラグ側の複合コネクタ装置１をレセプタクル側の複合コネクタ装置２と一体に結合するための円筒形状を呈する金属リングである。結合リング４０は、収容ケース２０，３０を一体に結合する前に、収容ケース２０の周囲に回転自在に配置されるように挿入される。このとき、結合リング４０の内壁から突出する段差面（不図示）が収容ケース２０の端面に当接することによって、結合リング４０は収容ケース２０側への移動を規制される。結合リング４０は、複合コネクタ装置１，２を結合するために、内壁に形成される案内溝４１と、内壁と外壁との間を貫通するように形成される係合孔４２と、を有している。尚、案内溝４１及び係合孔４２の詳細については後述する。
【００２０】
＜＜装着体＞＞
装着体１０は、第１インシュレータ１１、第２インシュレータ１２、コイルバネ１３，１４、スペーサー１５、スリーブ１６を含んで構成されている。
【００２１】
＜第１インシュレータ＞
第１インシュレータ１１は、６本のメタル心線１０１Ａ〜１０１Ｆにそれぞれ半田付けされた状態の６個の雄型コンタクトピン１０４Ａ〜１０４Ｆと、雌型フェルール１０５が接続された状態の光ファイバ１０２と、が挿入配置される樹脂部材である。第１インシュレータ１１は、実質的に円柱形状を呈し、雄型コンタクトピン１０４Ａ〜１０４Ｆがそれぞれ挿入配置される第１溝１１１Ａ〜１１１Ｆと、光ファイバ１０２が挿入配置される第２溝１１２と、コイルバネ１３，１４が配置される第３溝１１３と、コイルバネ１３，１４の一端がそれぞれ嵌入される第１嵌入孔１１４，１１５と、を有する。
【００２２】
第１溝１１１Ａ〜１１１Ｃは、第１インシュレータ１１の一方の半周面に形成される溝であって、第１インシュレータ１１の軸方向に沿って外周面から半円筒形状を呈するように窪んで形成されるとともに、第１インシュレータ１１の外周方向に並んで形成されている。同様に、第１溝１１１Ｄ〜１１１Ｆは、第１インシュレータ１１の他方の半周面に第１溝１１１Ａ〜１１１Ｃとは対称的に形成される溝であって、第１インシュレータ１１の軸方向に沿って外周面から半円筒形状を呈するように窪んで形成されるとともに、第１インシュレータ１１の外周方向に並んで形成されている。
【００２３】
雄型コンタクトピン１０４Ａ〜１０４Ｆは、雌型コンタクトピンに嵌入される嵌入部１０４１と、嵌入部１０４１の径よりも大きい径を有し、嵌入部１０４１に連続する大径部１０４２と、大径部１０４２の径よりも小さい径を有し、大径部１０４２に連続する小径部１０４３と、小径部１０４３の径よりも大きい径を有し、小径部１０４３に連続する大径部１０４４と、大径部１０４４の径よりも小さい径を有し、大径部１０４４に連続する小径部１０４５と、小径部１０４５の径よりも大きい径を有し、小径部１０４５に連続する大径部１０４６と、を有している。一方、第１溝１１１Ａ〜１１１Ｆは、雄型コンタクトピン１０４Ａ〜１０４Ｆの大径部１０４４がそれぞれ挿入される大径部１１１１と、大径部１１１１の径よりも小さい径を有するとともに大径部１１１１に連続し、雄型コンタクトピン１０４Ａ〜１０４Ｆの小径部１０４５がそれぞれ挿入される小径部１１１２と、小径部１１１２の径よりも大きい径を有するとともに小径部１１１２に連続し、雄型コンタクトピン１０４Ａ〜１０４Ｆの大径部１０４６及びメタル心線１０１Ａ〜１０１Ｆの先端がそれぞれ挿入される大径部１１１３と、を有している。そして、雄型コンタクトピン１０４Ａ〜１０４Ｆを第１溝１１１Ａ〜１１１Ｆにそれぞれ挿入すると、雄型コンタクトピン１０４Ａ〜１０４Ｆの大径部１０４４及び小径部１０４５の接続部分に形成される段差が第１溝１１１Ａ〜１１１Ｆの大径部１１１１及び小径部１１１２の接続部分に形成される段差にそれぞれ係合するため、雄型コンタクトピン１０４Ａ〜１０４Ｆの第１溝１１１Ａ〜１１１Ｆに沿う複合ケーブル１００側への移動は規制される。又、雄型コンタクトピン１０４Ａ〜１０４Ｆの嵌入部１０４１及び大径部１０４２の接続部分に形成される段差によって、雄型コンタクトピン１０４Ａ〜１０４Ｆのレセプタクル側となる複合コネクタ装置２側への移動は規制される。
【００２４】
第２溝１１２は、第１インシュレータ１１の軸方向に沿って第１インシュレータ１１の双方の半周面が接する一方の境界から中心付近まで窪んで形成されるスリット形状を呈する溝であって、第１溝１１１Ａ〜１１１Ｃと第１溝１１１Ｄ〜１１１Ｆとを隔てるように形成されている。
【００２５】
第３溝１１３は、第１インシュレータ１１の複合ケーブル１００に向かう側とは反対側において、第１インシュレータ１１の軸方向に沿って第１インシュレータ１１の双方の半周面が接する双方の境界を通るように窪んで形成される溝であって、第１溝１１１Ａ〜１１１Ｃと第１溝１１１Ｄ〜１１１Ｆとを隔てるように形成されている。
【００２６】
第１嵌入孔１１４，１１５は、第３溝１１３の複合ケーブル１００に向かう側の面に形成される円柱形状を呈する孔であって、第１インシュレータ１１の外周面側に離れて形成されている。
【００２７】
＜第２インシュレータ＞
第２インシュレータ１２は、第１インシュレータ１１の第１溝１１１Ａ〜１１１Ｆに挿入配置された雄型コンタクトピン１０４Ａ〜１０４Ｆと、第１インシュレータ１１の第２溝１１２に挿入配置された光ファイバ１０２と、光ファイバ１０２の先端に接続された雌型フェルール１０５と、を装着体１０内に安定的に収容するために、第１インシュレータ１１に装着される樹脂部材である。第２インシュレータ１２は、実質的に円柱形状を呈し、雄型コンタクトピン１０４Ａ〜１０４Ｆの先端（嵌入部１０４１）がそれぞれ挿入される第１孔１２１Ａ〜１２１Ｆと、雌型フェルール１０５の先端が挿入される第２孔１２２と、係合爪１２３，１２４と、を有する。
【００２８】
第１孔１２１Ａ〜１２１Ｆは、雄型コンタクトピン１０４Ａ〜１０４Ｆが安定的に挿入されるように、第１インシュレータ１１に形成された第１溝１１１Ａ〜１１１Ｆと対応する位置に形成されている。第２孔１２２は、スペーサー１５に載置された雌型フェルール１０５が安定的に挿入されるように、第１孔１２１Ａ〜１２１Ｆで取り囲まれる位置の中央に形成されている。そして、雄型コンタクトピン１０４Ａ〜１０４Ｆが第１孔１２１Ａ〜１２１Ｆにそれぞれ挿入されると、雄型コンタクトピン１０４Ａ〜１０４Ｆの先端は円の軌跡上に一定の間隔を置いて露出し、雌型フェルール１０５が第２孔１２２に挿入されると、雌型フェルール１０５の先端は円の軌跡の中央に露出することとなる。
【００２９】
第１インシュレータ１１は、第１インシュレータ１１の複合ケーブル１００に向かう側とは反対側の外周面に段差１１６，１１７を有している。係合爪１２３，１２４が段差１１６，１１７にそれぞれ係合することによって、第２インシュレータ１２は第１インシュレータ１１に装着される。
【００３０】
＜スペーサー＞
スペーサー１５は、コイルバネ１３，１４とともに第１インシュレータ１１と第２インシュレータ１２との間に介在し、雌型フェルール１０５に対して第１インシュレータ１１から第２インシュレータ１２への方向の弾性力を付与する樹脂部材である。スペーサー１５は、コイルバネ１３，１４の他端がそれぞれ嵌入される第２嵌入孔１５１，１５２と、第１インシュレータ１１の第２溝１１２に挿入配置された状態の光ファイバ１０２が挿入配置される第４溝１５３と、雌型フェルール１０５が載置される端面１５４と、を有している。
【００３１】
第２嵌入孔１５１，１５２は、コイルバネ１３，１４が安定的に嵌入されるように、スペーサー１５の第１インシュレータ１１に向かう側の面において、第１嵌入孔１１４，１１５と対応する位置に形成されている。
【００３２】
第４溝１５３は、第２嵌入孔１５１，１５２に挟まれるとともに第１インシュレータ１１と第２インシュレータ１２との間を連続的に窪んで形成されている。第４溝１５３は、光ファイバ１０２が接続される雌型フェルール１０５の突起１０５５が安定的に配置され、更に、光ファイバ１０２が安定的に配置されるように、突起１０５５の幅よりも広い幅を有している。
【００３３】
端面１５４は、スペーサー１５の第２嵌入孔１５１，１５２が形成される面とは反対側の面である。
【００３４】
＜スリーブ＞
雄型コンタクトピン１０４Ａ〜１０４Ｆは、第１インシュレータ１１の第１溝１１１Ａ〜１１１Ｆ内にそれぞれ配置されたとしても露出したままの状態である。そのため、雄型コンタクトピン１０４Ａ〜１０４Ｆは、外的要因によって短絡や損傷を生じる虞がある。スリーブ１６は、雄型コンタクトピン１０４Ａ〜１０４Ｆを覆うように第１インシュレータ１１に装着される絶縁部材である。第１インシュレータ１１は、第１インシュレータ１１の複合ケーブル１００に向かう側の外周面に段差１１８を有している。スリーブ１６は、段差１１８に嵌入するリング１６１と、雄型コンタクトピン１０４Ａ〜１０４Ｃを覆うアーム１６２と、雄型コンタクトピン１０４Ｄ〜１０４Ｆを覆うアーム１６３と、を有している。アーム１６２，１６３は、雄型コンタクトピン１０４Ａ〜１０４Ｆを覆うように、リング１６１から第１インシュレータ１１に向かって延びている。
【００３５】
＜＜装着体の組立方法＞＞
先ず、複合ケーブル１００を収容ケース２０に挿入し、複合ケーブル１００の先端部分に露出しているメタル心線１０１Ａ〜１０１Ｆ及び光ファイバ１０２を収容ケース２０から引き出す。尚、装着体１０の完成後、複合ケーブル１００の装着体１０とは反対側の先端を収容ケース２０に挿入するようにしてもよい。
【００３６】
次に、雄型コンタクトピン１０４Ａ〜１０４Ｆをメタル心線１０１Ａ〜１０１Ｆにそれぞれ半田付けするとともに、光ファイバ１０２を雌型フェルール１０５に接続する。このとき、雄型コンタクトピン１０４Ａ〜１０４Ｆは第１インシュレータ１１に配置されていないフリーな状態であるため、雄型コンタクトピン１０４Ａ〜１０４Ｆをメタル心線１０１Ａ〜１０１Ｆに１本ずつ近づけながら半田付けすることによって、雄型コンタクトピン１０４Ａ〜１０４Ｆの短絡や光ファイバ１０２の熱損傷を防止することが可能になる。
【００３７】
次に、雄型コンタクトピン１０４Ａ〜１０４Ｆ及び雌型フェルール１０５が接続された複合ケーブル１００をスリーブ１６に挿入する。
【００３８】
次に、光ファイバ１０２を第１インシュレータ１１の第２溝１１２に挿入し、続けて、雄型コンタクトピン１０４Ａ〜１０４Ｆを第１インシュレータ１１の第１溝１１１Ａ〜１１１Ｆにそれぞれ挿入する。
【００３９】
次に、コイルバネ１３，１４の一端を第１インシュレータ１１の第１嵌入孔１１４，１１５にそれぞれ嵌入し、続けて、光ファイバ１０２をスペーサー１５の第４溝１５３に挿入しながら、コイルバネ１３，１４の他端をスペーサー１５の第２嵌入孔１５１，１５２にそれぞれ嵌入する。つまり、コイルバネ１３，１４を第１嵌入孔１１４，１１５及び第２嵌入孔１５１，１５２によって支持する。
【００４０】
次に、光ファイバ１０２をスペーサー１５の第４溝１５３に挿入した状態のまま、雌型フェルール１０５をスペーサー１５の端面１５４に載置する。
【００４１】
次に、雄型コンタクトピン１０４Ａ〜１０４Ｆの先端を第２インシュレータ１２の第１孔１２１Ａ〜１２１Ｆに挿入するとともに、雌型フェルール１０５の先端を第２インシュレータ１２の第２孔１２２に挿入し、コイルバネ１３，１４の弾性力に抗して雌型フェルール１０５の段差１０５４を押圧しながら、第２インシュレータ１２の係合爪１２３，１２４を第１インシュレータ１１の段差１１６，１１７にそれぞれ係合させる。つまり、第２インシュレータ１２を第１インシュレータ１１に装着する。これによって、雄型コンタクトピン１０４Ａ〜１０４Ｆが雌型コンタクトピンと電気的に接続されるように、雄型コンタクトピン１０４Ａ〜１０４Ｆの嵌入部１０４１は第１孔１２１Ａ〜１２１Ｆからそれぞれ露出し、一方、雌型フェルール１０５がコイルバネ１３，１４によって第１インシュレータ１１から第２インシュレータ１２へ向かう弾性力を付与されつつ、雌型フェルール１０５が雄型フェルールに光信号を送信することができるように、雌型フェルール１０５の端面（位置決め孔１０５１，１０５２及び信号孔１０５３）は第２孔１２２から露出する。
【００４２】
次に、スリーブ１６の一方のアーム１６２が雄型コンタクトピン１０４Ａ〜１０４Ｃを覆うとともに、スリーブ１６の他方のアーム１６３が雄型コンタクトピン１０４Ｄ〜１０４Ｆを覆うように、スリーブ１６のリング１６１を第１インシュレータ１１の段差１１８に嵌入する。このようにして、装着体１０の組み立ては完了する。
【００４３】
そして、上記のように構成される装着体１０を採用することによって、雄型コンタクトピン１０４Ａ〜１０４Ｆで形成される円の軌跡の径φ（雄型コンタクトピン１０４Ａ，１０４Ｄ間の距離、雄型コンタクトピン１０４Ｂ，１０４Ｅ間の距離、雄型コンタクトピン１０４Ｃ，１０４Ｆ間の距離）が６〜８ｍｍの短い径となるように、装着体１０を小型に設計することが可能となる。
【００４４】
＜＜複合コネクタ装置の組立方法＞＞
先ず、装着体１０の組み立てが完了したら、収容ケース３０を結合リング４０に挿入する。
【００４５】
次に、装着体１０を収容ケース３０に収容する。このとき、第２インシュレータ１２の外周に形成される窪み１２５が収容ケース３０の内壁から突出する突起（不図示）に嵌合し、更に、装着体１０における複合ケーブル１００とは反対側の端面が収容ケース３０の内壁から突出する段差面（不図示）に当接することによって、装着体１０は収容ケース３０内の所定位置に位置決めされる。
【００４６】
次に、装着体１０が接続されている複合ケーブル１００を収容ケース２０に挿入し、収容ケース２０の雌螺子２１及び収容ケース３０の雄螺子３１を螺合し、収容ケース２０，３０を一体に結合する。このとき、装着体１０における複合ケーブル１００側の端面が収容ケース２０の内壁から突出する段差面（不図示）に当接することによって、装着体１０は収容ケース２０内の所定位置に位置決めされる。これによって、装着体１０は、収容ケース２０，３０内に安定的に保持される。又、結合リング４０の収容ケース３０側への移動は、複合コネクタ装置１，２を結合するために要する一定距離に制限される。このようにして、複合コネクタ装置１の組み立ては完了する。
【００４７】
＝＝＝レセプタクル側の複合コネクタ装置＝＝＝
図１５は、本実施形態に係るレセプタクル側の複合コネクタ装置を示す斜視図である。図１６は、本実施形態に係るレセプタクル側の複合コネクタ装置を示す分解斜視図である。図１７は、本実施形態に係るレセプタクル側の複合コネクタ装置の差込口を示す平面図である。図１８は、本実施形態に係るレセプタクル側の複合コネクタ装置に用いられる装着体を示す斜視図である。図１９は、本実施形態に係るレセプタクル側の複合コネクタ装置に用いられる装着体を示す分解斜視図である。図２０は、本実施形態に係るレセプタクル側の複合コネクタ装置において、装着体に用いられる第１インシュレータを示す斜視図である。図２１は、本実施形態に係るレセプタクル側の複合コネクタ装置において、装着体に用いられる第１インシュレータを示す平面図である。図２２は、本実施形態に係るレセプタクル側の複合コネクタ装置において、装着体に用いられる第２インシュレータを示す斜視図である。図２３は、本実施形態に係るレセプタクル側の複合コネクタ装置において、装着体に用いられる第２インシュレータを示す平面図である。図２４は、本実施形態に係るレセプタクル側の複合コネクタ装置において、装着体に用いられるスペーサーを示す斜視図である。図２５は、本実施形態に係るレセプタクル側の複合コネクタ装置において、装着体に用いられるスペーサーを示す平面図である。図２６は、本実施形態に係るレセプタクル側の複合コネクタ装置において、装着体に用いられるスリーブを示す斜視図である。図２７は、本実施形態に係るレセプタクル側の複合コネクタ装置において、装着体に用いられるスリーブを示す平面図である。図２８は、本実施形態に係るプラグ側及びレセプタクル側の複合コネクタ装置を結合する前の状態を示す斜視図である。図２９は、本実施形態に係るプラグ側及びレセプタクル側の複合コネクタ装置を結合した後の状態を示す斜視図である。図３０は、本実施形態に係るレセプタクル側の複合コネクタ装置に用いられるメタル心線及び光ファイバの一例を示す斜視図である。
【００４８】
先ず、本実施形態において、レセプタクル側の複合コネクタ装置２には、プラグ側の複合コネクタ装置１に用いられる６本のメタル心線１０１Ａ〜１０１Ｆとの間で電気信号の伝送路を形成する６本のメタル心線２０１Ａ〜２０１Ｆと、プラグ側の複合コネクタ装置１に用いられる光ファイバ１０２との間で光信号の伝送路を形成する光ファイバ２０２と、が用いられる。６個の雌型コンタクトピン２０４Ａ〜２０４Ｆは、電気信号を伝送するためのピンであって、６個の雄型コンタクトピン１０４Ａ〜１０４Ｆにそれぞれ嵌入して接触することによって、６個の雄型コンタクトピン１０４Ａ〜１０４Ｆとそれぞれ電気的に接続される。そして、雌型コンタクトピン２０４Ａ〜２０４Ｆは、レセプタクル側の複合コネクタ装置２に装着される前に、メタル心線２０１Ａ〜２０１Ｆの先端にそれぞれ半田付けされる。雄型フェルール２０５は、位置決め突片２０５１，２０５２を有し、光信号を伝送するためのハウジングである。雄型フェルール２０５の位置決め突片２０５１，２０５２が雌型フェルール１０５の位置決め孔１０５１，１０５２に嵌入されると、雄型フェルール２０５の端面及び雌型フェルール１０５の端面が重なり合って雄型フェルール２０５の信号孔２０５３及び雌型フェルール１０５の信号孔１０５３が一致し、光信号の伝送が可能となる。そして、雄型フェルール２０５は、レセプタクル側の複合コネクタ装置２に装着される前に、光ファイバ２０２の先端に接続される。
【００４９】
複合コネクタ装置２は、装着体５０、収容ケース６０，７０を含んで構成されている。
装着体５０は、６本のメタル心線２０１Ａ〜２０１Ｆに予め半田付けされた６個の雌型コンタクトピン２０４Ａ〜２０４Ｆと、光ファイバ２０２に予め接続された雄型フェルール２０５と、が一体となって装着される円柱形状を呈する組立体である。尚、装着体５０の詳細については後述する。
【００５０】
収容ケース６０は、メタル心線２０１Ａ〜２０１Ｆ及び光ファイバ２０２が挿入される円筒形状を呈する金属ケースである。雌型コンタクトピン２０４Ａ〜２０４Ｆ及び雄型フェルール２０５は、雌型コンタクトピン２０４Ａ〜２０４Ｆが露出するようにメタル心線２０１Ａ〜２０１Ｆが収容ケース６０に挿入されるとともに、雄型フェルール２０５が露出するように光ファイバ２０２が収容ケース６０に挿入された後、装着体５０に装着される。装着体５０のメタル心線２０１Ａ〜２０１Ｆ及び光ファイバ２０２に向かう側の一部は収容ケース６０内に挿入され、このとき、装着体５０におけるメタル心線２０１Ａ〜２０１Ｆ及び光ファイバ２０２側の端面が収容ケース６０の内壁から突出する段差面（不図示）に当接することによって、装着体５０は収容ケース６０内の所定位置に位置決めされる。
【００５１】
収容ケース７０は、収容ケース６０から露出する装着体５０が挿入される円筒形状を呈する金属ケースである。収容ケース６０は収容ケース７０と結合するための雌螺子６１を有し、収容ケース７０は収容ケース６０と結合するための雄螺子７１を有している。そして、収容ケース６０，７０は、雌螺子６１と雄螺子７１を螺合することによって一体に結合される。このとき、装着体５０におけるメタル心線２０１Ａ〜２０１Ｆ及び光ファイバ２０２とは反対側の端面が収容ケース７０の内壁から突出する段差面（不図示）に当接することによって、装着体５０は収容ケース７０内の所定位置に位置決めされる。これによって、装着体５０は、収容ケース６０，７０内に安定的に保持されることとなる。収容ケース７０は、結合リング４０を回転させることによって、結合リング４０の内壁に形成されている案内溝４１を案内され、最後に結合リング４０の内壁と外壁との間を貫通する係合孔４２に係合する係合片７２を有している。更に、収容ケース７０は、複合型コネクタ装置２を機器のパネル（不図示）に固定するためのフランジ７３を有している。尚、係合片７２については後述する。
【００５２】
＜＜装着体＞＞
装着体５０は、第１インシュレータ５１、第２インシュレータ５２、コイルバネ５３，５４、スペーサー５５、スリーブ５６を含んで構成されている。尚、本実施形態において、装着体５０を構成する部品のうち第２インシュレータ５２を除く部品は、装着体１０を構成する部品と同一の部品である。
【００５３】
＜第１インシュレータ＞
第１インシュレータ５１は、６本のメタル心線２０１Ａ〜２０１Ｆにそれぞれ半田付けされた状態の６個の雌型コンタクトピン２０４Ａ〜２０４Ｆと、雄型フェルール２０５が接続された状態の光ファイバ２０２と、が挿入配置される樹脂部材である。第１インシュレータ５１は、実質的に円柱形状を呈し、雌型コンタクトピン２０４Ａ〜２０４Ｆがそれぞれ挿入配置される第１溝５１１Ａ〜５１１Ｆと、光ファイバ２０２が挿入配置される第２溝５１２と、コイルバネ５３，５４が配置される第３溝５１３と、コイルバネ５３，５４の一端がそれぞれ嵌入される第１嵌入孔５１４，５１５と、を有する。
【００５４】
第１溝５１１Ａ〜５１１Ｃは、第１インシュレータ５１の一方の半周面に形成される溝であって、第１インシュレータ５１の軸方向に沿って外周面から半円筒形状を呈するように窪んで形成されるとともに、第１インシュレータ５１の外周方向に並んで形成されている。同様に、第１溝５１１Ｄ〜５１１Ｆは、第１インシュレータ５１の他方の半周面に第１溝５１１Ａ〜５１１Ｃとは対称的に形成される溝であって、第１インシュレータ５１の軸方向に沿って外周面から半円筒形状を呈するように窪んで形成されるとともに、第１インシュレータ５１の外周方向に並んで形成されている。
【００５５】
雌型コンタクトピン２０４Ａ〜２０４Ｆは、雄型コンタクトピン１０４Ａ〜１０４Ｆが嵌入される嵌入部２０４１と、嵌入部２０４１の径よりも大きい径を有し、嵌入部２０４１に連続する大径部２０４２と、大径部２０４２の径よりも小さい径を有し、大径部２０４２に連続する小径部２０４３と、小径部２０４３の径よりも大きい径を有し、小径部２０４３に連続する大径部２０４４と、を有している。一方、第１溝５１１Ａ〜５１１Ｆは、雌型コンタクトピン２０４Ａ〜２０４Ｆの小径部２０４３がそれぞれ挿入される小径部５１１１と、小径部５１１１の径よりも大きい径を有するとともに小径部５１１１に連続し、雌型コンタクトピン２０４Ａ〜２０４Ｆの大径部２０４４及びメタル心線２０１Ａ〜２０１Ｆの先端がそれぞれ挿入される大径部５１１２と、を有している。そして、雌型コンタクトピン２０４Ａ〜２０４Ｆを第１溝５１１Ａ〜５１１Ｆにそれぞれ挿入すると、雌型コンタクトピン２０４Ａ〜２０４Ｆの大径部２０４２，２０４４及び小径部２０４３の接続部分に形成される段差が第１溝５１１Ａ〜５１１Ｆの小径部５１１１及び大径部５１１２の接続部分に形成される段差にそれぞれ係合するため、雌型コンタクトピン２０４Ａ〜２０４Ｆの第１溝５１１Ａ〜５１１Ｆに沿う方向への移動は規制される。
【００５６】
第２溝５１２は、第１インシュレータ５１の軸方向に沿って第１インシュレータ５１の双方の半周面が接する一方の境界から中心付近まで窪んで形成されるスリット形状を呈する溝であって、第１溝５１１Ａ〜５１１Ｃと第１溝５１１Ｄ〜５１１Ｆとを隔てるように形成されている。
【００５７】
第３溝５１３は、第１インシュレータ５１のメタル心線２０１Ａ〜２０１Ｆ及び光ファイバ２０２に向かう側とは反対側において、第１インシュレータ５１の軸方向に沿って第１インシュレータ５１の双方の半周面が接する双方の境界を通るように窪んで形成される溝であって、第１溝５１１Ａ〜５１１Ｃと第１溝５１１Ｄ〜５１１Ｆとを隔てるように形成されている。
【００５８】
第１嵌入孔５１４，５１５は、第３溝５１３のメタル心線２０１Ａ〜２０１Ｆ及び光ファイバ２０２に向かう側の面に形成される円柱形状を呈する孔であって、第１インシュレータ５１の外周面側に離れて形成されている。
【００５９】
＜第２インシュレータ＞
第２インシュレータ５２は、第１インシュレータ５１の第１溝５１１Ａ〜５１１Ｆに挿入配置された雌型コンタクトピン２０４Ａ〜２０４Ｆと、第１インシュレータ５１の第２溝５１２に挿入配置された光ファイバ２０２と、光ファイバ２０２の先端に接続された雄型フェルール２０５と、を装着体５０内に安定的に収容するために、第１インシュレータ５１に装着される樹脂部材である。第２インシュレータ５２は、実質的に円柱形状を呈し、雌型コンタクトピン２０４Ａ〜２０４Ｆの先端（嵌入部２０４１）がそれぞれ挿入される第１孔５２１Ａ〜５２１Ｆと、雄型フェルール２０５の先端が挿入される第２孔５２２と、係合爪５２３，５２４と、を有する。
【００６０】
第２インシュレータ５２の軸方向に沿う長さは、複合コネクタ装置１，２を結合する際に、雄型コンタクトピン１０４Ａ〜１０４Ｆの先端及び雌型フェルール１０５の先端が装着体５０内に挿入されて保持されるように、プラグ側の複合コネクタ装置１を構成する第２インシュレータ１２の軸方向に沿う長さよりも長く設計されている。
【００６１】
第１孔５２１Ａ〜５２１Ｆは、雌型コンタクトピン２０４Ａ〜２０４Ｆが安定的に挿入されるように、第１インシュレータ５１に形成された第１溝５１１Ａ〜５１１Ｆと対応する位置に形成されている。第２孔５２２は、スペーサー５５に載置された雄型フェルール２０５が安定的に挿入されるように、第１孔５２１Ａ〜５２１Ｆで取り囲まれる位置の中央に形成されている。そして、雌型コンタクトピン２０４Ａ〜２０４Ｆが第１孔５２１Ａ〜５２１Ｆにそれぞれ挿入されると、雌型コンタクトピン２０４Ａ〜２０４Ｆの先端は円の軌跡上に一定の間隔を置いて現れるが、第１孔５２１Ａ〜５２１Ｆから露出せずに奥まった位置に保持される。一方、雄型フェルール２０５が第２孔５２２に挿入されると、雄型フェルール２０５の先端は円の軌跡の中央に現れるが、第２孔５２２から露出せずに奥まった位置に保持される。
【００６２】
第１インシュレータ５１は、第１インシュレータ５１のメタル心線２０１Ａ〜２０１Ｆ及び光ファイバ２０２に向かう側とは反対側の外周面に段差５１６，５１７を有している。係合爪５２３，５２４が段差５１６，５１７にそれぞれ係合することによって、第２インシュレータ５２は第１インシュレータ５１に装着される。
【００６３】
＜スペーサー＞
スペーサー５５は、コイルバネ５３，５４とともに第１インシュレータ５１と第２インシュレータ５２との間に介在し、雄型フェルール２０５に対して第１インシュレータ５１から第２インシュレータ５２への方向の弾性力を付与する樹脂部材である。スペーサー５５は、コイルバネ５３，５４の他端がそれぞれ嵌入される第２嵌入孔５５１，５５２と、第１インシュレータ５１の第２溝５１２に挿入配置された状態の光ファイバ２０２が挿入配置される第４溝５５３と、雄型フェルール２０５が載置される端面５５４と、を有している。
【００６４】
第２嵌入孔５５１，５５２は、コイルバネ５３，５４が安定的に嵌入されるように、スペーサー５５の第１インシュレータ５１に向かう側の面において、第１嵌入孔５１４，５１５と対応する位置に形成されている。
【００６５】
第４溝５５３は、第２嵌入孔５５１，５５２に挟まれるとともに第１インシュレータ５１と第２インシュレータ５２との間を連続的に窪んで形成されている。第４溝５５３は、光ファイバ２０２が接続される雄型フェルール２０５の突起２０５５が安定的に配置され、更に、光ファイバ２０２が安定的に配置されるように、突起２０５５の幅よりも広い幅を有している。
【００６６】
端面５５４は、スペーサー５５の第２嵌入孔５５１，５５２が形成される面とは反対側の面である。
【００６７】
＜スリーブ＞
雌型コンタクトピン２０４Ａ〜２０４Ｆは、第１インシュレータ５１の第１溝５１１Ａ〜５１１Ｆ内にそれぞれ配置されたとしても露出したままの状態である。そのため、雌型コンタクトピン２０４Ａ〜２０４Ｆは、外的要因によって短絡や損傷を生じる虞がある。スリーブ５６は、雌型コンタクトピン２０４Ａ〜２０４Ｆを覆うように第１インシュレータ５１に装着される絶縁部材である。第１インシュレータ５１は、第１インシュレータ５１のメタル心線２０１Ａ〜２０１Ｆ及び光ファイバ２０２に向かう側の外周面に段差５１８を有している。スリーブ５６は、段差５１８に嵌入するリング５６１と、雌型コンタクトピン２０４Ａ〜２０４Ｃを覆うアーム５６２と、雌型コンタクトピン２０４Ｄ〜２０４Ｆを覆うアーム５６３と、を有している。アーム５６２，５６３は、雌型コンタクトピン２０４Ａ〜２０４Ｆを覆うように、リング５６１から第１インシュレータ５１に向かって延びている。
【００６８】
＜＜装着体の組立方法＞＞
先ず、装置のパネル側から引き出されたメタル心線２０１Ａ〜２０１Ｆ及び光ファイバ２０２を収容ケース６０に挿入し、メタル心線２０１Ａ〜２０１Ｆ及び光ファイバ２０２の先端部分を収容ケース６０から引き出す。
【００６９】
次に、雌型コンタクトピン２０４Ａ〜２０４Ｆをメタル心線２０１Ａ〜２０１Ｆにそれぞれ半田付けするとともに、光ファイバ２０２を雄型フェルール２０５に接続する。このとき、雌型コンタクトピン２０４Ａ〜２０４Ｆは第１インシュレータ５１に配置されていないフリーな状態であるため、雌型コンタクトピン２０４Ａ〜２０４Ｆをメタル心線２０１Ａ〜２０１Ｆに１本ずつ近づけながら半田付けすることによって、雌型コンタクトピン２０４Ａ〜２０４Ｆの短絡や光ファイバ２０２の熱損傷を防止することが可能になる。
次に、雌型コンタクトピン２０４Ａ〜２０４Ｆ及び雄型フェルール２０５をスリーブ５６に挿入する。
【００７０】
次に、光ファイバ２０２を第１インシュレータ５１の第２溝５１２に挿入し、続けて、雌型コンタクトピン２０４Ａ〜２０４Ｆを第１インシュレータ５１の第１溝５１１Ａ〜５１１Ｆにそれぞれ挿入する。
【００７１】
次に、コイルバネ５３，５４の一端を第１インシュレータ５１の第１嵌入孔５１４，５１５にそれぞれ嵌入し、続けて、光ファイバ２０２をスペーサー５５の第４溝５５３に挿入しながら、コイルバネ５３，５４の他端をスペーサー５５の第２嵌入孔５５１，５５２にそれぞれ嵌入する。つまり、コイルバネ５３，５４を第１嵌入孔５１４，５１５及び第２嵌入孔５５１，５５２によって支持する。
【００７２】
次に、光ファイバ２０２をスペーサー５５の第４溝５５３に挿入した状態のまま、雄型フェルール２０５をスペーサー５５の端面５５４に載置する。
【００７３】
次に、雌型コンタクトピン２０４Ａ〜２０４Ｆの先端を第２インシュレータ５２の第１孔５２１Ａ〜５２１Ｆに挿入するとともに、雄型フェルール２０５の先端を第２インシュレータ５２の第２孔５２２に挿入し、コイルバネ５３，５４の弾性力に抗して雄型フェルール２０５の段差２０５４を押圧しながら、第２インシュレータ５２の係合爪５２３，５２４を第１インシュレータ５１の段差５１６，５１７にそれぞれ係合させる。つまり、第２インシュレータ５２を第１インシュレータ５１に装着する。これによって、雌型コンタクトピン２０４Ａ〜２０４Ｆが雄型コンタクトピン１０４Ａ〜１０４Ｆと電気的にそれぞれ接続されるように、雌型コンタクトピン２０４Ａ〜２０４Ｆの嵌入部２０４１は第１孔５２１Ａ〜５２１Ｆからそれぞれ奥まった位置に保持され、一方、雄型フェルール２０５がコイルバネ５３，５４によって第１インシュレータ５１から第２インシュレータ５２へ向かう弾性力を付与されつつ、雄型フェルール２０５が光信号を伝送することができるように、雄型フェルール２０５の端面（位置決め突片２０５１，２０５２及び信号孔２０５３）は第２孔５２２から奥まった位置に保持される。
【００７４】
次に、スリーブ５６の一方のアーム５６２が雌型コンタクトピン２０４Ａ〜２０４Ｃを覆うとともに、スリーブ５６の他方のアーム５６３が雌型コンタクトピン２０４Ｄ〜２０４Ｆを覆うように、スリーブ５６のリング５６１を第１インシュレータ５１の段差５１８に嵌入する。このようにして、装着体５０の組み立ては完了する。
【００７５】
そして、上記のように構成される装着体５０を採用することによって、雌型コンタクトピン２０４Ａ〜２０４Ｆで形成される円の軌跡の径φ（雌型コンタクトピン２０４Ａ，２０４Ｄ間の距離、雌型コンタクトピン２０４Ｂ，２０４Ｅ間の距離、雌型コンタクトピン２０４Ｃ，２０４Ｆ間の距離）が６〜８ｍｍの短い径となるように、装着体５０を小型に設計することが可能となる。
【００７６】
＜＜複合コネクタ装置の組立方法＞＞
先ず、装着体５０の組み立てが完了したら、装着体５０を収容ケース７０に挿入する。このとき、第２インシュレータ５２の外周に形成される窪み５２５が収容ケース７０の内壁から突出する突起（不図示）に嵌合し、更に、装着体５０におけるメタル心線２０１Ａ〜２０１Ｆ及び光ファイバ２０２とは反対側の端面が収容ケース７０の内壁から突出する段差面（不図示）に当接することによって、装着体５０は収容ケース７０内の所定位置に位置決めされる。
【００７７】
次に、装着体５０が接続されているメタル心線２０１Ａ〜２０１Ｆ及び光ファイバ２０２を収容ケース６０に挿入し、収容ケース６０の雌螺子６１及び収容ケース７０の雄螺子７１を螺合し、収容ケース６０，７０を一体に結合する。このとき、装着体５０におけるメタル心線２０１Ａ〜２０１Ｆ及び光ファイバ２０２側の端面が収容ケース６０の内壁から突出する段差面（不図示）に当接することによって、装着体５０は収容ケース６０内の所定位置に位置決めされる。これによって、装着体５０は、収容ケース６０，７０内に安定的に保持される。
【００７８】
次に、フランジ７３を機器のパネルに固定することによって、複合コネクタ装置２の組み立ては完了する。
【００７９】
＜＜プラグ側及びレセプタクル側の複合コネクタ装置の結合方法＞＞
先ず、複合コネクタ装置１，２が結合されるべき相対的な位置関係を確認しながら、複合コネクタ装置１の先端である差込口を複合コネクタ装置２の先端である差込口に向けて挿入する。この挿入操作に伴って、雄型コンタクトピン１０４Ａ〜１０４Ｆの先端（嵌入部１０４１）は、第２インシュレータ５２の第１孔５２１Ａ〜５２１Ｆにそれぞれ挿入された後、雌型コンタクトピン２０４Ａ〜２０４Ｆの先端（嵌入部２０４１）にそれぞれ嵌入される。これによって、雄型コンタクトピン１０４Ａ〜１０４Ｆ及び雌型コンタクトピン２０４Ａ〜２０４Ｆは電気的に接続される。更に、雌型フェルール１０５の先端が第２インシュレータ５２の第２孔５２２に挿入された後、雌型フェルール１０５の位置決め孔１０５１，１０５２には雄型フェルール２０５の位置決め突片２０５１，２０５２がそれぞれ嵌入される。換言すると、雌型フェルール１０５の信号孔１０５３は雄型フェルール２０５の信号孔２０５３と一致した状態に保持される。雌型フェルール１０５は雄型フェルール２０５の方向への弾性力を付与され、雄型フェルール２０５は雌型フェルール１０５の方向への弾性力を付与されているため、雌型フェルール１０５の端面は雄型フェルール２０５の端面と密着するように重なり合う。これによって、雌型フェルール１０５及び雄型フェルール２０５は光信号を伝送することが可能な状態に接続される。
【００８０】
次に、結合リング４０を複合コネクタ装置２の方向へ押し込みながら回転させる。この回転操作に伴って、収容ケース７０の外周面から突出する係合片７２は、結合リング４０の内壁に形成される案内溝４１を案内され、最後に結合リング４０の内壁と外壁との間を貫通する係合孔４２に係合する。これによって、複合コネクタ装置１，２は、安定的に結合される。
【００８１】
＝＝＝まとめ＝＝＝
以上説明したように、本実施形態に係る複合コネクタ装置１（２）は、メタル心線１０１Ａ〜１０１Ｆ（２０１Ａ〜２０１Ｆ）の先端にそれぞれ半田付けされるコンタクトピン１０４Ａ〜１０４Ｆ（２０４Ａ〜２０４Ｆ）と、光ファイバ１０２（２０２）の先端に接続されるフェルール１０５（２０５）と、が一体に装着される装置であって、軸方向に沿って外周面から窪むとともに外周方向に並んで形成され、コンタクトピン１０４Ａ〜１０４Ｆ（２０４Ａ〜２０４Ｆ）がそれぞれ挿入配置される第１溝１１１Ａ〜１１１Ｆ（５１１Ａ〜５１１Ｆ）と、軸方向に沿って外周面から窪んで形成され、光ファイバ１０２（２０２）が挿入配置される第２溝１１２（５１２）と、を有する第１インシュレータ１１（５１）と、コンタクトピン１０４Ａ〜１０４Ｆ（２０４Ａ〜２０４Ｆ）及びフェルール１０５（２０５）が所定の配置関係を保持するように、コンタクトピン１０４Ａ〜１０４Ｆ（２０４Ａ〜２０４Ｆ）がそれぞれ挿入される第１孔１２１Ａ〜１２１Ｆ（５２１Ａ〜５２１Ｆ）と、フェルール１０５（２０５）が挿入される第２孔１２２（５２２）と、を有し、第１インシュレータ１１（５１）に装着される第２インシュレータ１２（５２）と、第１インシュレータ１１（５１）と第２インシュレータ１２（５２）との間に介在し、フェルール１０５（２０５）に対して第１インシュレータ１１（５１）から第２インシュレータ１２（５２）へ向かう弾性力を付与する弾性部材（コイルバネ１３，１４（５３，５４）、スペーサー１５（５５））と、を備える。そして、本実施形態によれば、コンタクトピン１０４Ａ〜１０４Ｆ（２０４Ａ〜２０４Ｆ）及びフェルール１０５（２０５）を一体に装着する際に、隣り合うコンタクトピン１０４Ａ〜１０４Ｆ（２０４Ａ〜２０４Ｆ）の半田に起因する短絡及び光ファイバ１０２（２０２）の損傷を防止し、作業性を向上させることが可能になる。又、本実施形態によれば、プラグ側の複合コネクタ装置１及びレセプタクル側の複合コネクタ装置２に組み込まれる第１インシュレータ１１（５１）及び弾性部材（コイルバネ１３，１４（５３，５４）、スペーサー１５（５５））を共通部品としているため、複合コネクタ装置１（２）の製造に要するコストを低減することが可能になる。
【００８２】
又、本実施形態において、弾性部材は、光ファイバ１０２（２０２）に隣り合うとともに第１インシュレータ１１（５１）に支持される一対のコイルバネ１３，１４（５３，５４）と、フェルール１０５（２０５）の光ファイバ１０２（２０２）が接続される側と一対のコイルバネ１３，２４（５３，５４）との間に介在し、フェルール１０５（２０５）に対して弾性力を付与するスペーサー１５（５５）と、を含んで構成される。
【００８３】
又、本実施形態において、コンタクトピン１０４Ａ〜１０４Ｆ（２０４Ａ〜２０４Ｆ）及び第１溝１１１Ａ〜１１１Ｆ（５１１Ａ〜５１１Ｆ）は、コンタクトピン１０４Ａ〜１０４Ｆ（２０４Ａ〜２０４Ｆ）が第１溝１１１Ａ〜１１１Ｆ（５１１Ａ〜５１１Ｆ）に挿入配置された後、コンタクトピン１０４Ａ〜１０４Ｆ（２０４Ａ〜２０４Ｆ）が第１インシュレータ１１（５１）の軸方向に移動することを規制する形状を呈する。
【００８４】
又、本実施形態において、第１インシュレータ１１（５１）は、一対のコイルバネ１３，１４（５３，５４）の一端がそれぞれ嵌入される一対の第１嵌入孔１１４，１１５（５１４，５１５）を有し、スペーサー１５（５５）は、一対のコイルバネ１３，１４（５３，５４）の他端がそれぞれ嵌入される一対の第２嵌入孔１５１，１５２（５５１，５５２）を有する。
【００８５】
又、本実施形態に係る複合コネクタ装置１（２）は、コンタクトピン１０４Ａ〜１０４Ｆ（２０４Ａ〜２０４Ｆ）がそれぞれ挿入配置された後の第１溝１１１Ａ〜１１１Ｆ（５１１Ａ〜５１１Ｆ）を覆うように第１インシュレータ１１（５１）に装着される絶縁部材（スリーブ１６（５６））を更に備える。そして、本実施形態によれば、複合コネクタ装置１（２）を組み立てる工程において、コンタクトピン１０４Ａ〜１０４Ｆ（２０４Ａ〜２０４Ｆ）が外的要因によって短絡や損傷するのを防止することが可能になる。
【００８６】
又、本実施形態において、第１溝１１１Ａ〜１１１Ｆ（５１１Ａ〜５１１Ｆ）は、コンタクトピン１０４Ａ〜１０４Ｆ（２０４Ａ〜２０４Ｆ）がフェルール１０５（２０５）の周りを円形に取り囲むように、第１インシュレータ１１（５１）に形成され、第１孔１２１Ａ〜１２１Ｆ（５２１Ａ〜５２１Ｆ）及び第２孔１２２（５２２）は、コンタクトピン１０４Ａ〜１０４Ｆ（２０４Ａ〜２０４Ｆ）がフェルール１０５（２０５）の周りを円形に取り囲むように、第２インシュレータ１２（５２）に形成される。特に、本実施形態によれば、コンタクトピン１０４Ａ〜１０４Ｆ（２０４Ａ〜２０４Ｆ）で形成される円の径を６〜８ｍｍと小さく設計することが可能になる。
【００８７】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００８８】
１，２  複合コネクタ装置
１０，５０  装着体
１１，５１  第１インシュレータ
１２，５２  第２インシュレータ
１３，１４，５３，５４  コイルバネ
１５，５５  スペーサー
１６，５６  スリーブ
２０，３０，６０，７０  収容ケース
２１，６１  雌螺子
３１，７１  雄螺子
４０  結合リング
４１  案内溝
４２  係合孔
７２  係合片
７３  フランジ
１００  複合ケーブル
１０１Ａ〜１０１Ｆ，２０１Ａ〜２０１Ｆ  メタル心線
１０２，２０２  光ファイバ
１０３  外皮
１０４Ａ〜１０４Ｆ  雄型コンタクトピン
１０５  雌型フェルール
１１１Ａ〜１１１Ｆ，５１１Ａ〜５１１Ｆ  第１溝
１１２，５１２  第２溝
１１３，５１３  第３溝
１１４，１１５，５１４，５１５  第１嵌入孔
１１６，１１７，１１８，５１６，５１７，５１８  段差
１２１Ａ〜１２１Ｆ，５２１Ａ〜５２１Ｆ  第１孔
１２２，５２２  第２孔
１２３，１２４，５２３，５２４  係合爪
１２５，５２５  窪み
１５１，１５２，５５１，５５２  第２嵌入孔
１５３，５５３  第４溝
１５４，５５４  端面
１６１，５６１  リング
１６２，１６３，５６２，５６３  アーム
２０４Ａ〜２０４Ｆ  雌型コンタクトピン
２０５  雄型フェルール
１０４１，２０４１  嵌入部
１０４２，１０４４，１０４６，１１１１，１１１３，２０４２，２０４４，５１１２  大径部
１０４３，１０４５，１１１２，２０４３，５１１１  小径部
１０５１，１０５２  位置決め孔
１０５３，２０５３  信号孔
１０５４，２０５４  段差
１０５５，２０５５  突起
２０５１，２０５２  位置決め突片
【図１】
2019149337.tif 000003
【図２】
2019149337.tif 000004
【図３】
2019149337.tif 000005
【図４】
2019149337.tif 000006
【図５】
2019149337.tif 000007
【図６】
2019149337.tif 000008
【図７】
2019149337.tif 000009
【図８】
2019149337.tif 000010
【図９】
2019149337.tif 000011
【図１０】
2019149337.tif 000012
【図１１】
2019149337.tif 000013
【図１２】
2019149337.tif 000014
【図１３】
2019149337.tif 000015
【図１４】
2019149337.tif 000016
【図１５】
2019149337.tif 000017
【図１６】
2019149337.tif 000018
【図１７】
2019149337.tif 000019
【図１８】
2019149337.tif 000020
【図１９】
2019149337.tif 000021
【図２０】
2019149337.tif 000022
【図２１】
2019149337.tif 000023
【図２２】
2019149337.tif 000024
【図２３】
2019149337.tif 000025
【図２４】
2019149337.tif 000026
【図２５】
2019149337.tif 000027
【図２６】
2019149337.tif 000028
【図２７】
2019149337.tif 000029
【図２８】
2019149337.tif 000030
【図２９】
2019149337.tif 000031
【図３０】
2019149337.tif 000032